【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
複数の他の通信装置と共に所定のシステムを実現する通信装置であって、
前記通信装置が参加しているネットワークに属する他の通信装置が提供する機能の情報を記憶する記憶手段と、
前記通信装置が複数の他の通信装置と共に実現する前記所定のシステムに必要な機能の情報と、前記記憶手段により記憶されている機能の情報とに基づいて、前記所定のシステムを実現するために不足している機能を判定する判定手段と、
前記判定手段により判定された機能を有する所定の他の通信装置を前記ネットワークに収容するための処理を実行する実行手段と、
を有することを特徴とする通信装置。
【請求項２】
前記所定の他の通信装置を前記ネットワークに収容するための処理とは、前記通信装置と前記所定の他の通信装置との接続処理であることを特徴とする請求項１に記載の通信装置。
【請求項３】
前記所定の他の通信装置を前記ネットワークに収容するための処理とは、前記通信装置と前記所定の他の通信装置とが通信するための通信パラメータを、前記通信装置と前記所定の他の通信装置とが共有する処理であることを特徴とする請求項１に記載の通信装置。
【請求項４】
前記所定の他の通信装置が有する機能の情報を取得する取得手段を更に有し、
前記所定の他の通信装置が前記ネットワークに収容された場合、前記記憶手段は、前記取得手段により取得した機能の情報を記憶する
ことを特徴とする請求項１乃至３のいずれか１項に記載の通信装置。
【請求項５】
前記所定の他の通信装置が前記ネットワークに収容された場合、もしくは、前記所定の他の通信装置が前記ネットワークから離脱した場合、前記判定手段による判定が再度行われることを特徴とする請求項１乃至４のいずれか１項に記載の通信装置。
【請求項６】
前記判定手段により判定された機能の情報を報知する報知手段を更に有することを特徴とする請求項１乃至５のいずれか１項に記載の通信装置。
【請求項７】
前記報知手段は、ビーコンを利用して前記判定手段により判定された機能の情報を報知することを特徴とする請求項６に記載の通信装置。
【請求項８】
複数の他の通信装置と共に所定のシステムを実現する通信装置であって、
前記通信装置が複数の他の通信装置と共に実現する前記所定のシステムに必要な機能の情報を所定の他の通信装置から取得する取得手段と、
前記取得手段により取得した機能の情報に応じて、前記所定の他の通信装置との通信に利用する通信パラメータを前記第１の通信装置に要求する要求手段と、
を有することを特徴とする通信装置。
【請求項９】
前記要求手段による要求に応じた前記所定の他の通信装置から取得した通信パラメータを利用して、前記所定の他の通信装置と接続する接続手段
を更に有することを特徴とする請求項８に記載の通信装置。
【請求項１０】
前記接続手段により前記所定の他の通信装置と接続した場合、ユーザに通知する通知手段
を更に有することを特徴とする請求項９に記載の通信装置。
【請求項１１】
前記取得手段は、前記通信装置が複数の他の通信装置と共に実現する前記所定のシステムに必要な機能の情報を、前記所定の他の通信装置が報知したビーコンにより取得する
ことを特徴とする請求項８乃至１０のいずれか１項に記載の通信装置。
【請求項１２】
３台以上の通信装置により所定のシステム機能を実現するネットワークを管理する管理装置であって、
通信装置と接続する接続手段と、
前記接続手段により接続した前記通信装置が参加しているネットワークに属する他の通信装置が提供する機能の情報を取得する取得手段と、
３台以上の通信装置により実現する前記所定のシステムに必要な機能の情報と、前記取得手段により取得した機能の情報とに基づいて、前記所定のシステムを実現するために不足している機能を判定する判定手段と、
前記判定手段により判定された機能を前記通信装置に通知する通知手段と、
を有することを特徴とする管理装置。
【請求項１３】
複数の他の通信装置と共に所定のシステムを実現する通信装置の制御方法であって、
前記通信装置が参加しているネットワークに属する他の通信装置が提供する機能の情報を記憶する記憶工程と、
前記通信装置が複数の他の通信装置と共に実現する前記所定のシステムに必要な機能の情報と、前記記憶工程において記憶した機能の情報とに基づいて、前記所定のシステムを実現するために不足している機能を判定する判定工程と、
前記判定工程において判定された機能を有する所定の他の通信装置を前記ネットワークに収容するための処理を実行する実行工程と、
を有することを特徴とする制御方法。
【請求項１４】
複数の他の通信装置と共に所定のシステムを実現する通信装置の制御方法であって、
前記通信装置が複数の他の通信装置と共に実現する前記所定のシステムに必要な機能の情報を所定の他の通信装置から取得する取得工程と、
前記取得工程において取得した機能の情報に応じて、前記所定の他の通信装置との通信に利用する通信パラメータを要求する要求工程と、
を有することを特徴とする制御方法。
【請求項１５】
３台以上の通信装置により所定のシステム機能を実現するネットワークを管理する管理装置の制御方法であって、
通信装置と接続する接続工程と、
前記接続工程において接続した前記通信装置が参加しているネットワークに属する他の通信装置が提供する機能の情報を取得する取得工程と、
３台以上の通信装置により実現する前記所定のシステムに必要な機能の情報と、前記取得工程において取得した機能の情報とに基づいて、前記所定のシステムを実現するために不足している機能を判定する判定工程と、
前記判定工程において判定された機能を前記通信装置に通知する通知工程と、
を有することを特徴とする制御方法。
【請求項１６】
コンピュータを請求項１乃至１１のいずれか１項に記載の通信装置として動作させるためのプログラム。
【請求項１７】
コンピュータを請求項１２に記載の通信装置として動作させるためのプログラム。
【手続補正２】
【補正対象書類名】明細書
【補正対象項目名】０００７
【補正方法】変更
【補正の内容】
【０００７】
上記課題を解決するために、本発明の通信装置は、複数の他の通信装置と共に所定のシステムを実現する通信装置であって、前記通信装置が参加しているネットワークに属する他の通信装置が提供する機能の情報を記憶する記憶手段と、前記通信装置が複数の他の通信装置と共に実現する前記所定のシステムに必要な機能の情報と、前記記憶手段により記憶されている機能の情報とに基づいて、前記所定のシステムを実現するために不足している機能を判定する判定手段と、前記判定手段により判定された機能を有する所定の他の通信装置を前記ネットワークに収容するための処理を実行する実行手段とを有する。
【手続補正３】
【補正対象書類名】明細書
【補正対象項目名】０００８
【補正方法】変更
【補正の内容】
【０００８】
また、本発明の別の通信装置は複数の他の通信装置と共に所定のシステムを実現する通信装置であって、前記通信装置が複数の他の通信装置と共に実現する前記所定のシステムに必要な機能の情報を所定の他の通信装置から取得する取得手段と、前記取得手段により取得した機能の情報に応じて、前記所定の他の通信装置との通信に利用する通信パラメータを前記第１の通信装置に要求する要求手段とを有する。
【手続補正４】
【補正対象書類名】明細書
【補正対象項目名】０００９
【補正方法】変更
【補正の内容】
【０００９】
また、本発明の管理装置は、３台以上の通信装置により所定のシステム機能を実現するネットワークを管理する管理装置であって、通信装置と接続する接続手段と、前記接続手段により接続した前記通信装置が参加しているネットワークに属する他の通信装置が提供する機能の情報を取得する取得手段と、３台以上の通信装置により実現する前記所定のシステムに必要な機能の情報と、前記取得手段により取得した機能の情報とに基づいて、前記所定のシステムを実現するために不足している機能を判定する判定手段と、前記判定手段により判定された機能を前記通信装置に通知する通知手段とを有する。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、無線通信システムを構築する場合に、通信装置が無線通信システムに
おいて必要な機能を判定し、判定された機能を有する他の通信装置を収容することで、通信装置またはユーザの負荷を軽減し、ユーザの利便性を向上させることができる。